(57)【要約】【課題】玉の流路を予測不可能に多様に変化させて遊技の興趣を大幅に盛り上げることのできるパチンコ機のステージの玉揺動構造を提供する。【解決手段】図柄表示装置１の左右方向に帯状可撓部材５を延設し、この帯状可撓部材５の下方に揺動機構３を配設して、揺動機構３により帯状可撓部材５を上下方向に撓ませて、ステージ４上を流下する玉の流路を複雑に変化させる。前記揺動機構３を、上端が帯状可撓部材５の裏側に当接されて往復回動する揺動子３３と、この揺動子３３を駆動する駆動装置とからなるものとして、揺動子３３を上下又は左右に往復回動させることにより、帯状可撓部材５を波打ち状に上下方向に撓ませて、玉の流路を複雑に変化させる。【選択図】    図１
2004350919.tif 000002
【特許請求の範囲】
【請求項１】
図柄表示装置内に流入した玉を左右に揺動させてその下方の始動入賞口に誘導するパチンコ機ステージの玉揺動構造であって、該揺動構造は、図柄表示装置の左右方向に延設された帯状可撓部材と、帯状可撓部材の下方に配設された揺動機構とからなり、この揺動機構により帯状可撓部材を上下方向に撓ませて玉の流路を変動させるようにしたことを特徴とするパチンコ機ステージの玉揺動構造。
【請求項２】
揺動機構は、上端が帯状可撓部材の裏側に当接されて往復回動する揺動子と、この揺動子を駆動する駆動装置とからなり、揺動子を往復回動させることにより帯状可撓部材が波打ち状に上下方向に撓むようにした請求項１に記載のパチンコ機ステージの玉揺動構造。
【請求項３】
揺動機構は、上端が帯状可撓部材の裏側に当接されて直線的に往復動する揺動子と、この揺動子を駆動する駆動装置とからなり、揺動子を往復動させることにより帯状可撓部材が上下方向に撓むようにした請求項１に記載のパチンコ機ステージの玉揺動構造。
【請求項４】
揺動機構は、モーター又はソレノイドにより駆動されるカム機構、クランク機構、リンク機構、レバー機構、てこクランク機構、ラックアンドピニオン機構のうちの何れかである請求項１〜３の何れかに記載のパチンコ機ステージの玉揺動構造。
【請求項５】
モーターの回転方向、回転速度、回転時間、回転角度の少なくとも一つを変動制御可能として、帯状可撓部材を不規則に揺動させるようにした請求項４に記載のパチンコ機ステージの玉揺動構造。
【請求項６】
ソレノイドの励磁時間を可変として、帯状可撓部材を不規則に揺動させるようにした請求項４に記載のパチンコ機ステージの玉揺動構造。
【請求項７】
帯状可撓部材は、金属又はゴム又は合成樹脂からなる板状体又は蛇腹板である請求項１〜６の何れかに記載のパチンコ機ステージの玉揺動構造。
【請求項８】
帯状可撓部材は、非弾性体を回転関節で連接して可撓性を持たせたものである請求項１〜６の何れかに記載のパチンコ機ステージの玉揺動構造。
【請求項９】
帯状可撓部材の厚みを不均一に形成した請求項７又は８に記載のパチンコ機ステージの玉揺動構造。
【発明の詳細な説明】
【０００１】
【発明の属する技術分野】
本発明は、パチンコ機の図柄表示装置の前面下部に設けられたステージの玉揺動構造に関するものである。
【０００２】
【従来の技術】
パチンコ機の遊技盤の中央には複数の図柄が所定の状態に揃うと大当りの権利が発生する図柄表示装置が配設されている。図柄表示装置はその表示画面の前面下部に流入した玉を左右に振分けるステージを備えており、このステージに突起などを設けてステージの下方の始動入賞口（図柄始動入賞口）に至る玉の流れに変化を持たせることができる。例えば、特開２００２−３６９９１９号公報には、本図１６に示すようなステージの玉振分け構造が開示されている。すなわち、このステージの玉振分け構造は、上面に凹状の玉誘導路９７、９８、９９を配した振分け台９４、９５、９６を前後に階段状に配してステージ９１を形成し、センターの振分け台９５を振分け台９４、９６に対して左右に往復動させるようにしたものである。このように構成することで、ステージ９１上を流下する玉を左右に揺動させて始動入賞口９２への玉の流路に変化を付けることができる。
【０００３】
【特許文献１】特開２００２−３６９９１９号公報（図２）
【０００４】
しかしながら、上記したパチンコ機のステージの玉振分け構造においては、センターの振分け台９５が規則的に往復移動して最下段のステージ９１に形成された３つの玉誘導路９７、９８、９９の何れかに玉を振り分けるものであって、真中の玉誘導路９８に玉が流入した時のみ玉が入賞する可能性があるのみである。したがって、遊技者は振分け台９５の動きによって玉が流入する玉誘導路９７、９８、９９を早期に判断することができてしまい、このために遊技者の関心を長く繋ぎ止めて遊技の興趣を盛り上げる効果において必ずしも十分なものではなかった。
【０００５】
【発明が解決しようとする課題】
本発明は上記した従来の問題点を解決し、玉の流路を予測不可能に多様に変化させて遊技の興趣を大幅に盛り上げることのできるパチンコ機のステージの玉揺動構造を提供するためになされたものである。
【０００６】
【課題を解決するための手段】
上記の課題を解決するためになされた本発明のパチンコ機ステージの玉揺動構造は、図柄表示装置内に流入した玉を左右に揺動させてその下方の始動入賞口に誘導するパチンコ機ステージの玉揺動構造であって、該揺動構造は、図柄表示装置の左右方向に延設された帯状可撓部材と、帯状可撓部材の下方に配設された揺動機構とからなり、この揺動機構により帯状可撓部材を上下方向に撓ませて玉の流路を変動させるようにしたことを特徴とするものである。
【０００７】
なお、揺動機構は、上端が帯状可撓部材の裏側に当接されて往復回動する揺動子と、この揺動子を駆動する駆動装置とからなり、揺動子を往復回動させることにより帯状可撓部材が波打ち状に上下方向に撓むようにすることができ、揺動機構は、上端が帯状可撓部材の裏側に当接されて直線的に往復動する揺動子と、この揺動子を駆動する駆動装置とからなり、揺動子を往復動させることにより帯状可撓部材が上下方向に撓むようにすることができる。
又、揺動機構は、モーター又はソレノイドにより駆動されるカム機構、クランク機構、リンク機構、レバー機構、てこクランク機構、ラックアンドピニオン機構のうちの何れかとすることもできる。
そして、モーターの回転方向、回転速度、回転時間、回転角度の少なくとも一つを変動制御可能として、或いはソレノイドの励磁時間を可変として、帯状可撓部材を不規則に揺動させてもよい。さらに、帯状可撓部材は、金属又はゴム又は合成樹脂からなる板状体又は蛇腹板、又は非弾性体を回転関節で連接して可撓性を持たせたものとすることができるし、帯状可撓部材の厚みを不均一に形成することもできる。
【０００８】
【発明の実施の形態】
以下に図面を参照しつつ本発明の好ましい実施形態を説明する。図１〜４は本発明のパチンコ機ステージの玉揺動機構を示す図であって、１は図柄表示装置であって下半部のみ図示してある。２はその表示画面、３は揺動機構である。表示画面２の前面下部にはステージ４が設けられており、このステージ４は後段ステージ４１、中段ステージ４２、前段ステージ４３との３段からなり、順次後から前にかけて低くなるように階段状に形成されている。そして、玉が前方に流下するように少なくとも後段ステージ４１を僅かに前方に低く傾斜させてある。
【０００９】
中段ステージ４２は表示画面２の前面下部に左右方向に延設された帯状可撓部材５からなるものであって、その裏面の中央付近には取り付け用のボス部５３が設けられている。帯状可撓部材５は金属又はゴム又は合成樹脂からなる可撓性を有する薄板が帯状に形成されたものであって上下方向の応力の付与により撓み変形し、応力の除去により元の形状に復元することのできる性質を有するものである。また、帯状可撓部材５は、蛇腹板であってもよく、金属などの非弾性体を回転関節で連接して可撓性を持たせたものであってもよい。この帯状可撓部材５は、その端部を図柄表示装置１に摺動可能に挟持することによっても配設することができるし、図柄表示装置１の左右の側面に接着剤などにより接合固定することができる。
【００１０】
揺動機構３は、モーターＭの出力軸３１に取付けたクランクピン３９を有するクランク３２と、このクランク３２により往復回動（往復角運動）される揺動子３３とからなる。揺動子３３は、上端が前記ボス部５３を介して帯状可撓部材５の裏面に当接、固定されていて、支軸３８により揺動可能に軸着されている。また、揺動子３３はその中央下部にクランクピン３９が摺動する係合穴部３４が形成されており、クランク３２の回転により支軸３８を中心に左右に往復回動する。なお、図４に示すように、クランク３２を回転させるモーターＭは外側面の左右に穴部６１を設けた張出し部６２を２つ有し、この穴部６１と図柄表示装置１の下部に設けた支持枠１１の螺入孔１２とがビスなどにより螺合されることにより、モーターＭが出力軸３１を前方に延出させて後段ステージ４１の下部に配設されている。
【００１１】
揺動機構３による帯状可撓部材５の揺動状態を図６〜９により説明する。図６において係合穴部３４は揺動子３３の下端から上方に切り込まれた平行部を有する切込み凹部であって、この係合穴部３４に出力軸３１を中心に周回するクランクピン３９が介入されている。図６ではクランクピン３２が出力軸３１の垂直上方に回転されており、この時帯状可撓部材５はほぼ水平状態に保たれている。
【００１２】
そして、クランク３２が出力軸３１を中心に回転しクランクピン３９が図７に示すように出力軸３１の左方に来ると、揺動子３３が右方に傾くこととなる。したがって、帯状可撓部材５は揺動子３３の左上端によって持ち上げられ、右上端によって引き下げられるので、図示のように波打ち状に撓むこととなる。
【００１３】
次いで、クランクピン３９が回転し最下部に来ると、再び帯状可撓部材５は水平状態になる。（図８）
【００１４】
さらにクランクピン３９が回転して出力軸３１の右方に来ると、図６とは対称に図９のようになる。すなわち、帯状可撓部材５は揺動子３３の右上端によって持ち上げられ、左上端によって引き下げられて波打ち状に撓む。
このようなクランク機構を採用することにより、クランクピン３９が出力軸３１の上方又は下方付近に来た時には揺動子３３の揺動速度が遅くなるので、玉の流路に変化を付けながらも玉をステージ４の中心付近にて落下しやすくすることができるという利点がある。
なお、モーターＭは、正逆回転させたり、回転速度、回転角度或いは間歇運転等の回転時間を変動制御することにより、ステージ４の揺動にさらに複雑な変化を付けることができる。
【００１５】
又、揺動機構３は図１０に示すような偏心して形成された突起３５を有する偏心カム３２ａと、長穴の係合穴部３４を有する揺動子３３とからなるものとすることができる。この揺動子３３は楕円板であって、端部が上下方向に往復回動可能に支軸３７軸着されているので、図１１、１２に示すように偏心カム３２ａの回転により帯状可撓部材５を波打ち状に撓ませることができる。又、図１３、１４に示すように、図１に示した形状の揺動子３３に長円形の係合穴部３４を設け、この係合穴部３４内を円板カム３２ｂを摺動回転させることによっても帯状可撓部材５を波打ち状に撓ませて玉の流路を複雑に変化させることができる。
【００１６】
なお、円板カム３２ｂに替えて円筒カム、斜面カムなど適宜の構造のものを用いることができる。図１５には支持部材４０に保持されたロッド状の揺動子３３が上下方向にのみ直線的に往復動するカム機構の例を示した。この場合には帯状可撓部材５は一定の部位のみが上下に往復動するやや単調な動きとなるが、帯状可撓部材５が上下に撓み変形するので、従来の揺動機構よりも玉の流路を複雑に変化させることができる。このような揺動機構３は複数台連設することができる。なお、頭部を有するロッド状の揺動子３３を左右方向に往復移動させることによっても帯状可撓体５の一部を頭部により上方に隆起させて、この隆起部を左右に揺動させることもできる。
【００１７】
又、揺動機構３は、クランク機構、カム機構に限定されるものではなく、レバー機構、てこクランク機構、リンク機構、ラックアンドピニオン機構等適宜のものを用いることができる。図１７には、てこクランク機構を例示した。又、駆動装置としてモータ−Ｍのほかにソレノイドを用いることができ、ソレノイドの間歇励磁時間を可変とすることによりプランジャを不規則に進退させることができて、ステージ４の揺動に変化を付けることもできる。さらに、帯状可撓部材５の厚みを横方向又は前後方向などに不均一に形成することによっても、ステージ４をより複雑に揺動させることができる。
【００１８】
【発明の効果】
以上に説明したように、本発明のパチンコ機ステージの玉揺動構造は、図柄表示装置の左右方向に帯状可撓部材を延設し、この帯状可撓部材の下方に揺動機構を配設して、揺動機構により帯状可撓部材を上下方向に撓ませるようにしたので、ステージに流入した玉の流路を複雑に変動させることができる。
揺動機構を、上端が帯状可撓部材の裏側に当接されて往復回動する揺動子と、この揺動子を駆動するモーターなどの駆動装置とからなるものとして、揺動子をクランク機構等により上下又は左右に往復回動させることにより帯状可撓部材を波打ち状に上下方向に撓ませることができるし、揺動子を直線的に往復動するものとして、揺動子を上下又は左右に往復移動させることにより帯状可撓部材を上下方向に撓ませて玉の流路に複雑な変化をつけることができる。
したがって、本発明は、玉の流路を多様に変化させて遊技の興趣を大幅に盛り上げることができるという大きな利点を有するものである。
【図面の簡単な説明】
【図１】本発明に係るステージの玉揺動構造の正面図である。
【図２】本発明に係るステージの玉揺動構造の内部を示す側面図である。
【図３】本発明に係るステージの玉揺動構造の平面図である。
【図４】本発明に係るステージの玉揺動構造の底面図である。
【図５】帯状可撓部材の正面図（ａ）と底面図（ｂ）である。
【図６】帯状可撓部材が平坦な状態にある玉揺動構造の正面図である。
【図７】帯状可撓部材の左方が隆起した状態にある玉揺動構造の正面図である。
【図８】帯状可撓部材が平坦状態に戻った玉揺動構造の正面図である。
【図９】帯状可撓部材の右方が隆起した状態にある玉揺動構造の正面図である。
【図１０】第２の実施形態の玉揺動構造を示す正面図である。
【図１１】帯状可撓部材の左方が隆起した状態にある第２の実施形態の玉揺動構造の正面図である。
【図１２】帯状可撓部材の右方が隆起した状態にある第２の実施形態の玉揺動構造の正面図である。
【図１３】第３の実施形態の玉揺動構造を示す正面図である。
【図１４】第３の実施形態の玉揺動構造の内部を示す側面図である。
【図１５】第４の実施形態の玉揺動構造を示す正面図である。
【図１６】従来の玉揺動構造を例示する正面図である。
【図１７】第５の実施形態の玉揺動構造を示す正面図である。
【符号の説明】
１  図柄表示装置
３  揺動機構
４  ステージ
５  帯状可撓部材
３２  クランク
３３  揺動子
【図１】
2004350919.tif 000003
【図２】
2004350919.tif 000004
【図３】
2004350919.tif 000005
【図４】
2004350919.tif 000006
【図５】
2004350919.tif 000007
【図６】
2004350919.tif 000008
【図７】
2004350919.tif 000009
【図８】
2004350919.tif 000010
【図９】
2004350919.tif 000011
【図１０】
2004350919.tif 000012
【図１１】
2004350919.tif 000013
【図１２】
2004350919.tif 000014
【図１３】
2004350919.tif 000015
【図１４】
2004350919.tif 000016
【図１５】
2004350919.tif 000017
【図１６】
2004350919.tif 000018
【図１７】
2004350919.tif 000019